(57)【特許請求の範囲】
【請求項１】
レンズ鏡胴の側部に設置されるレンズ駆動装置であって、レンズ鏡胴内のレンズを駆動する操作リングに連結されるモータが搭載されると共に、前記レンズの可動範囲の所望位置にリミット位置を設定するリミット位置設定手段と、前記レンズがリミット位置を越えないように前記モータの駆動を制限する制限手段と、を備えたレンズ駆動装置において、
前記レンズ駆動装置は、プリセット再生の実行が指示されると予め記憶したプリセット位置に前記レンズ鏡胴内のレンズを前記モータにより移動させるプリセット機能を備えると共に、前記プリセット位置の記憶と前記プリセット再生の実行を指示する第１のスイッチ及び第２のスイッチと、該第１のスイッチ及び第２のスイッチをリミット位置設定用のスイッチに切り替える切替スイッチとを備え、
前記リミット位置設定手段は、前記切替スイッチによって前記第１のスイッチ及び第２のスイッチがリミット位置設定用のスイッチに切り替えられた場合に、前記第１のスイッチが押されると、その時のレンズの位置を該レンズの移動方向の一方側のリミット位置として設定し、前記第２のスイッチが押されると、その時のレンズの位置を該レンズの移動方向の他方側のリミット位置として設定することを特徴とするレンズ駆動装置。
【発明の詳細な説明】
【０００１】
【発明の属する技術分野】
本発明はレンズ駆動装置に係り、特にレンズ鏡胴の側面に設置され、レンズ鏡胴の操作リングをモータ駆動するレンズ駆動装置に関する。
【０００２】
【従来の技術】
従来、テレビレンズ等のレンズ装置において、ズーム位置を変更できる範囲を予めテレ側とワイド側とで制限しておくことができるズームリミット機能が知られている。従来、このようなズームリミット機能は、外部のコントローラ（ズームデマンド等）に搭載されている（特開平１０−３９１９３）。
【０００３】
ところで、主として取材用のＥＮＧカメラに装着されるＥＮＧレンズの場合、レンズ鏡胴側部にフォーカスリングやズームリングをモータ駆動するための駆動ユニット（レンズ駆動装置）が装着されている。従来このような駆動ユニットには上述のようなズームリミット機能が搭載されていないため、ＥＮＧレンズにおいてズームリミット機能を使用したい場合には、ズームリミット機能を有する外部コントローラをその駆動ユニットに接続する必要があった。
【０００４】
【発明が解決しようとする課題】
しかしながら、ＥＮＧカメラは取材等で肩に乗せて使用されることが多く、このような場合にはＥＮＧレンズの駆動ユニットに外部のコントローラを接続して使用するのは困難である。
本発明はこのような事情に鑑みてなされたもので、ＥＮＧレンズにおいて外部コントローラを使用しなくてもズームリミット機能を使用することができるレンズ駆動装置を提供することを目的とする。
【０００５】
【課題を解決するための手段】
前記目的を達成する為に、請求項１に記載の発明は、レンズ鏡胴の側部に設置されるレンズ駆動装置であって、レンズ鏡胴内のレンズを駆動する操作リングに連結されるモータが搭載されると共に、前記レンズの可動範囲の所望位置にリミット位置を設定するリミット位置設定手段と、前記レンズがリミット位置を越えないように前記モータの駆動を制限する制限手段と、を備えたレンズ駆動装置において、前記レンズ駆動装置は、プリセット再生の実行が指示されると予め記憶したプリセット位置に前記レンズ鏡胴内のレンズを前記モータにより移動させるプリセット機能を備えると共に、前記プリセット位置の記憶と前記プリセット再生の実行を指示する第１のスイッチ及び第２のスイッチと、該第１のスイッチ及び第２のスイッチをリミット位置設定用のスイッチに切り替える切替スイッチとを備え、前記リミット位置設定手段は、前記切替スイッチによって前記第１のスイッチ及び第２のスイッチがリミット位置設定用のスイッチに切り替えられた場合に、前記第１のスイッチが押されると、その時のレンズの位置を該レンズの移動方向の一方側のリミット位置として設定し、前記第２のスイッチが押されると、その時のレンズの位置を該レンズの移動方向の他方側のリミット位置として設定することを特徴としている。
【０００６】
本発明によれば、ＥＮＧレンズ等のレンズ鏡胴側部に設置されるレンズ駆動装置にリミット機能を搭載したため、外部コントローラを使用しなくてもリミット機能を使用することができる。
【０００７】
【発明の実施の形態】
以下添付図面に従って本発明に係るレンズ駆動装置の好ましい実施の形態について詳説する。
図１及び図２は、本発明が適用された駆動ユニットが装着されたＥＮＧレンズの外観を示した平面図及び後面図である。これらの図に示すＥＮＧレンズ１は、ＥＮＧカメラ等の放送用テレビカメラに用いられるインナーフォーカス式ズームレンズであり、レンズ鏡胴２には、フォーカスリング４、ズームリング６及びアイリスリング８が設けられ、レンズ鏡胴２の後端部にはエクステンダ装置１０が設けられる。
【０００８】
また、レンズ鏡胴２の側部には前記フォーカスリング４、ズームリング６及びアイリスリング８を駆動する駆動ユニット１２が設けられている。尚、符号１４はレンズフード、１５はレンズフード取付ツマミである。
レンズ鏡胴２の内部構成については図示されていないが、周知の如く、鏡胴内には、前方から順に、固定フォーカスレンズ、移動フォーカスレンズ、変倍レンズ、アイリス、及びリレーレンズ等が設けられ、その後方に、エクステンダー１０が配置される。そして、フォーカスリング４を回動することにより移動フォーカスレンズが光軸に沿って前後移動してフォーカス調整が行われ、ズームリング６を回動することにより、変倍レンズが光軸に沿って前後移動してズーム調整が行われる。また、アイリスリング８を回動することによりアイリスの絞り径が調整されるようになっている。
【０００９】
駆動ユニット１２はケース１８を有し、このケース１８はビス２０、２０を介してレンズ鏡胴２の側部に取り付けられる。ケース１８内には、図示せぬフォーカス駆動用モータが配置され、このフォーカス駆動用モータは、図示せぬギヤ伝達機構を介して前記フォーカスリング４と噛み合い、フォーカスリング４を回転駆動する。尚、駆動ユニット１２にフォーカス駆動用モータが搭載されていないものもあり、本実施の形態では、フォーカス駆動用モータが搭載されていなくてもよい。また、ケース１８内には、ズーム駆動用モータが配置され、このズーム駆動用モータは、図示せぬギヤ伝達機構を介して前記ズームリング６と噛み合い、ズームリング６を回転駆動する。同様に、ケース１８内には、図示せぬアイリス駆動用モータが配置され、このアイリス駆動用モータは、図示せぬギヤ伝達機構を介して前記アイリスリング８と噛み合い、アイリスリング８を回転駆動する。
ケース１８の上面にはズームシーソコントロールスイッチ２２（以下、シーソスイッチという）、アイリスのオート／マニュアルモード切替スイッチ２４、アイリスモーメンタリースイッチ２５、リターンスイッチ２６等が設けられている。
【００１０】
シーソスイッチ２２は、中立位置を基準に揺動自在に設置され、シーソスイッチ２２をテレ（Ｔ）側又はワイド（Ｗ）側に押圧操作すると、前記ズームリング６がテレ側又はワイド側に回動するようになっている。また、シーソスイッチ２２の押し込み量（操作量）によってズームスピードを調整することができ、その押し込み量が大きいほどズームスピードは高速になる。
【００１１】
また、ケース１８の上面の取付用ビス２０、２０の近くには、ワンショットズームスイッチＡ、Ｂ、ズームリミットオン・オフスイッチ３４、及び、ズームプリセット／ズームリミット切替スイッチ３６が設けられている。ワンショットズームスイッチＡ、Ｂはズームプリセット機能（以下、プリセット機能という）とズームリミット機能（以下、リミット機能という）の２つの機能に関する操作に兼用され、いずれの機能に関する操作であるかは、ズームプリセット／ズームリミット切替スイッチ３６によって切り替えられるようになっている。ズームプリセット／ズームリミット切替スイッチ３６（以下、単に切替スイッチ３６という）にはスライドするツマミ３６Ａが設けられ、このツマミ３６Ａが「ＰＲＩＳＥＴ」と表記された位置（図中左側の位置）にセットされると、ワンショットズームスイッチＡ、Ｂがプリセット機能操作用のスイッチとなり、「ＬＩＭＩＴ」と表記された位置（図中右側の位置）にセットされると、ワンショットズームスイッチＡ、Ｂがリミット機能操作用のスイッチとなる。
【００１２】
切替スイッチ３６のツマミ３６Ａを「ＰＲＩＳＥＴ」側にセットし、ワンショットズームスイッチＡを押すと、そのときの変倍レンズの位置（ズーム位置）がプリセット位置としてメモリに記憶される。また、ワンショットズームスイッチＢを押すと、メモリに記憶されたプリセット位置に変倍レンズが移動される。従って、カメラマンはプリセット機能に関する操作を行いたい場合には、まず切替スイッチ３６のツマミ３６Ａを「ＰＲＩＳＥＴ」側にセットし、シーソスイッチ２２を操作してプリセット位置として記憶させたいズーム位置に変倍レンズを移動させ、ワンショットズームスイッチＡを押す。これにより、そのズーム位置がプリセット位置としてメモリに記憶される。プリセット再生を行いたい場合には、ワンショットズームスイッチＢを押す。これにより、変倍レンズがメモリに記憶されたプリセット位置に自動で移動される。
【００１３】
これに対して、切替スイッチ３６のツマミ３６Ａを「ＬＩＭＩＴ」側にセットし、ワンショットズームスイッチＡを押すと、そのときの変倍レンズの位置がワイド側のリミット位置としてメモリに記憶される。また、ワンショットズームスイッチＢを押すと、そのときの変倍レンズの位置がテレ側のリミット位置としてメモリに記憶される。従って、カメラマンはリミット位置を設定したい場合には、まず切替スイッチ３６のツマミ３６Ａを「ＬＩＭＩＴ」側にセットし、シーソスイッチ２２を操作してワイド側のリミット位置として記憶させたいズーム位置に変倍レンズを移動させ、ワンショットズームスイッチＡを押す。これにより、そのズーム位置がワイド側のリミット位置としてメモリに記憶される。また、シーソスイッチ２２を操作してテレ側のリミット位置として記憶させたいズーム位置に変倍レンズを移動させ、ワンショットズームスイッチＢを押す。これにより、そのズーム位置がテレ側のリミット位置としてメモリに記憶される。
【００１４】
このようにしてテレ側とワイド側のリミット位置をメモリに記憶させておき、上記ズームリミットオン・オフスイッチ３４を操作してズームリミット機能をオンにしておくと、シーソスイッチ２２で変倍レンズを移動させたときに、その変倍レンズの移動範囲がテレ側のリミット位置とワイド側のリミット位置の範囲内に制限されるようになる。
【００１５】
尚、上記ズームリミットオン・オフスイッチ３４を押す毎に、ズームリミット機能のオン、オフが切替えられるようになっており、ズームリミット機能がオンの状態でズームリミットオン・オフスイッチ３４を押すと、ズームリミットが解除されて、変倍レンズが全可動範囲で移動できるようになる。リミット位置を再設定したい場合等にズームリミットの解除が有効である。また、切替スイッチ３６を「ＰＲＩＳＥＴ」側にセットした場合にも、ズームリミット機能がオフとなる。但し、ズームリミットオン・オフスイッチ３４でズームリミット機能をオフにしない限り、切替スイッチ３６を「ＰＲＩＳＥＴ」側にセットした場合でもズームリミット機能がオンの状態を維持するようにしてもよい。また、テレ側とワイド側のリミット位置の一方のみを設定してテレ側又はワイド側の一方のみのリミット機能を有効にすることも可能である。
【００１６】
ケース１８の側面にはグリップバンド２８が設けられ、カメラマンはこのグリップバンド２８の中に右手（親指以外の４本の指）を挿入してレンズ鏡胴２を保持することができるようになっている。また、ケース１８の後面にはＶＴＲスイッチ３０及びクイックズーム＆定速オートズームスイッチ３２が配設され（図２参照）、これらのスイッチ３０、３２はカメラマンが右手の親指で操作できるようになっている。
【００１７】
ＶＴＲスイッチ３０は、撮影中の映像をビデオテープに記録（録画）する際の録画開始／終了を操作するためのスイッチである。
クイックズーム＆定速オートズームスイッチ３２は、クイックズームと定速オートズームの両機能を実行するために兼用されるスイッチであり、ズーム位置が停止しているときにこのスイッチ３２を押すと、クイックズームの機能が作動し、シーソスイッチ２２の操作中に（ズーム位置が移動しているとき）にこのスイッチ３２を押すと、定速オートズームの機能が作動するようになっている。クイックズームは、スイッチ３２を押している間、所定のズームスピード（高速）でテレ端に向かう方向に変倍レンズを移動させ、スイッチ３２を離すと、元のズーム位置（クイックズームスイッチ３２を押圧操作した時点のズーム位置）に変倍レンズを所定のズームスピードで復帰させるようにした機能である。
【００１８】
一方、定速オートズームは、スイッチ３２を押すことによって、シーソスイッチ２２の操作によって移動されている変倍レンズの移動速度（ズームスピード）をそのスイッチ３２を押したときの速度に保持する機能である。従って、シーソスイッチ２２をテレ（Ｔ）側又はワイド（Ｗ）側に押圧操作して所望のズームスピードとなったときにスイッチ３２を押すことにより、シーソスイッチ２２の押圧操作を解除してもズームスピードが一定に保持されるようになっている。
【００１９】
ケース１８の後面には、ズーム最大スピード調節ツマミ３８が設けられ、このツマミ３８を回動操作することによって、シーソスイッチ２２を最も深く押し込み操作した場合のズームスピード（ズーム最大スピード）を適宜変更することができる。例えば、ズーム最大スピード調節ツマミ３８を図中時計回転方向に回すほどズーム最大スピードは高速に設定され、逆に、反時計回転方向に回すほどズーム最大スピードは低速に設定される。また、上述のように、ワンショットズームスイッチＢを押してプリセット再生を実行させたときのズームスピードも、このズーム最大スピード調節ツマミ３８の設定位置に応じて可変される。
【００２０】
また、図２に示した符号３９はエクステンダー切替レバーであり、該レバー３９を回動操作することによって、２倍のエクステンダーを撮影光路中に挿脱することができるようになっている。
図３は、上記駆動ユニット１２においてズームリング６をモータ駆動する回路の構成を示したブロックである。上記シーソスイッチ２２は、例えばインクリメンタル型ロータリーエンコーダ５０（以下、エンコーダ５０という）の回転軸に連結され、シーソスイッチ２２が操作されるとその押し込み方向と押し込み量に応じた数と位相（２相パルス出力としたときの各相間のパルスの位相）のパルスがそのエンコーダ５０から出力される。エンコーダ５０から出力されたパルスは、カウンタ５２によって計数され、シーソスイッチ２２の押し込み方向と押し込み量が所定範囲内の数値でＣＰＵ５４に与えられる。ＣＰＵ５４はカウンタ５２から与えられた数値に基づいてズーム駆動用モータ６０（以下、モータ６０という）の回転方向及び回転速度を決定する。このとき、ＣＰＵ５４は、ポテンショメータ６８から出力されるズーム最大スピード調節ツマミ３８の設定位置（アナログ電圧）をＡ／Ｄ変換器７０を介して取得し、シーソスイッチ２２の押し込み量が最大となったときのズームスピードがズーム最大スピード調節ツマミ３８で設定された最大スピードとなるようにモータ６０の回転速度を決定する。
【００２１】
このようにしてモータ６０の回転方向及び回転速度を決定すると、ＣＰＵ５４は、これに基づいて速度制御信号（モータ駆動信号）を生成し、その速度制御信号をＤ／Ａ変換器５６に出力する。速度制御信号はＤ／Ａ変換器５６によってアナログ信号に変換された後、アンプ５８に入力され、その速度制御信号の示す回転速度と、タコジェネレータ６２によってフィードバックされるモータ６０の実際の回転速度との差分に応じた電圧がアンプ５８からモータ６０に印加される。これにより、モータ６０は、ＣＰＵ５４で設定された回転方向及び回転速度で駆動される。従って、モータ６０に連結されたズームリング６はシーソスイッチ２２の押し込み方向及び押し込み量に応じた回転方向及び速度で回転され、この回転によって変倍レンズ６４が移動される。尚、リミット機能がオンされているときには、変倍レンズ６４の移動範囲がメモリ７８に記憶されたリミット位置に制限されるようになっているが、このときの処理については後述する。
【００２２】
また、上記ＣＰＵ５４は、駆動ユニット１２のケース１８に配設されたシーソスイッチ２２以外の各種操作部材７２の操作も同様に検出し、それらの操作に応じて各種処理を実行する。尚、図３に示す操作部材７２には、以下の説明に関連する操作部材のみを示している。ここでは、まず、ワンショットズームスイッチＡ、Ｂが操作されたときのＣＰＵ５４の処理について説明する。
【００２３】
ＣＰＵ５４は、ワンショットズームスイッチＡ又はワンショットズームスイッチＢが押されたことを検出すると、上記切替スイッチ３６のツマミ３６Ａの設定位置を検出し、その設定位置に応じて処置内容を変更する。まず、切替スイッチ３６が「ＰＲＩＳＥＴ」側に設定されている場合について説明すると、ＣＰＵ５４は、ワンショットズームスイッチＡが押されたことを検出した場合、そのときのズーム位置をズーム位置検出用のポテンショメータ７４からＡ／Ｄ変換器７６を介して取得する。そして、そのズーム位置をプリセット位置としてメモリ７８に記憶させる。
【００２４】
一方、ワンショットズームスイッチＢが押されたことを検出すると、メモリ７８に記憶されているプリセット位置を読み出すと共に、上記ポテンショメータ７４からズーム位置を取得し、このズーム位置がプリセット位置に等しくなるように速度制御信号を上述と同様にＤ／Ａ変換器５６に出力する。即ち、ＣＰＵ５４は、ズーム位置がプリセット位置に近づく方向となるようにモータ６０の回転方向を速度制御信号によって指示すると共に、上記ズーム最大スピード調節ツマミ３８の設定位置に対応するズームスピードを上限としてズーム位置とプリセット位置との差分に応じた速度となるようにモータ６０の回転速度を速度制御信号によって指示する。これにより、ズームリング６がその速度制御信号に基づいて回転される。ポテンショメータ７４によって取得されるズーム位置がプリセット位置に一致すると、モータ６０の回転が停止され、ズーム位置がプリセット位置で停止される。
【００２５】
従って、カメラマンは、切替スイッチ３６のツマミ３６Ａを「ＰＲＩＳＥＴ」側にセットして上述のワンショットズームスイッチＡ又はワンショットズームスイッチＢの押圧操作を行なえば、プリセット位置の記憶又はプリセット再生の実行を指示することができる。
次に、切替スイッチ３６のツマミ３６Ａが「ＬＩＭＩＴ」側にセットされている場合について説明すると、ＣＰＵ５４は、ワンショットズームスイッチＡが押されたことを検出した場合、そのときのズーム位置をズーム位置検出用のポテンショメータ７４からＡ／Ｄ変換器７６を介して取得する。そして、そのズーム位置をワイド側のリミット位置としてメモリ７８に記憶させる。
【００２６】
一方、ワンショットズームスイッチＢが押されたことを検出した場合、上述と同様にそのときのズーム位置をズーム位置検出用のポテンショメータ７４からＡ／Ｄ変換器７６を介して取得する。そして、そのズーム位置をテレ側のリミット位置としてメモリ７８に記憶させる。これにより、ワイド側とテレ側のリミット位置が設定される。
【００２７】
従って、カメラマンは、切替スイッチ３６のツマミ３６Ａを「ＬＩＭＩＴ」側にセットして上述のワンショットズームスイッチＡとワンショットズームスイッチＢの押圧操作を行なえば、ワイド側とテレ側のリミット位置を設定することができる。尚、リミット位置の設定は、ワイド側とテレ側のいずれか一方のみでもよい。
図４は、上述のようにワンショットズームスイッチＡ又はワンショットズームスイッチＢが押されたときのＣＰＵ５４の処理手順を示したフローチャートである。まず、ＣＰＵ５４は、初期設定を行なった後（ステップＳ１０）、ワンショットズームスイッチＡがオンか否かを判定する（ステップＳ１２）。ＹＥＳと判定した場合、次に、切替スイッチ３６の状態を検出する（ステップＳ１４）。このとき、切替スイッチ３６のツマミ３６Ａが「ＰＲＩＳＥＴ」側にセットされていると判定した場合には、上述のように現在のズーム位置をプリセット位置としてメモリ７８に記憶させる（ステップＳ１６）。一方、切替スイッチ３６のツマミ３６Ａが「ＬＩＭＩＴ」側にセットされていると判定した場合には、上述のように、現在のズーム位置をワイド側のリミット位置としてメモリ７８に記憶させる（ステップＳ１８）。
【００２８】
上記ステップＳ１２においてＮＯと判定した場合、ＣＰＵ５４は、ワンショットズームスイッチＢがオンか否かを判定する（ステップＳ２０）。ＹＥＳと判定した場合、次に、切替スイッチ３６の状態を検出する（ステップＳ２２）。このとき、切替スイッチ３６のツマミ３６Ａが「ＰＲＩＳＥＴ」側にセットされていると判定した場合には、上述のようにプリセット再生を実行する（ステップＳ２４）。一方、切替スイッチ３６のツマミ３６Ａが「ＬＩＭＩＴ」側にセットされていると判定した場合には、上述のように現在のズーム位置をテレ側のリミット位置としてメモリ７８に記憶させる（ステップＳ２６）。
【００２９】
これらの処理が終了すると、又は、上記ステップＳ１２及びステップＳ２０においてＮＯと判定した場合には、シーソスイッチ２２等の操作に基づいた処理を実行し（ステップＳ２８）、上記ステップＳ１２からの処理を繰り返し実行する。
以上の処理により、ワンショットズームスイッチＡ、Ｂがプリセット機能とリミット機能に関する操作用のスイッチとして兼用され、切替スイッチ３６によっていずれかの機能に関する操作用のスイッチとして適宜切り替えられる。
【００３０】
次に、リミット機能を実行する際のＣＰＵ５４の処理について説明する。ＣＰＵ５４は、切替スイッチ３６のツマミ３６Ａが「ＬＩＭＩＴ」側にセットされると共に、ズームリミットオン・オフスイッチ３４によってリミット機能のオンの状態が指定されている場合に、リミット機能を実行し、変倍レンズ６４の移動範囲をメモリ７８に記憶されたワイド側とテレ側のリミット位置の範囲内に制限する。
【００３１】
即ち、シーソスイッチ２２が操作され、その操作に基づいて上述のように速度制御信号を生成し、その速度制御信号によりモータ６０を駆動して変倍レンズ６４を移動させている際に、ＣＰＵ５４は、その変倍レンズ６４の移動方向（ワイド側又はテレ側）のリミット位置をメモリ７８から読み出すと共に、ズーム位置検出用のポテンショメータ７４からズーム位置を取得し、このズーム位置がリミット位置を越えないように上記速度制御信号を調整する。例えば、ズーム位置がリミット位置に所定距離以下に近づいたときはシーソスイッチ２２の操作量にかかわらず速度制御信号の示す速度を強制的に減速させて、ズーム位置がリミット位置を越えないようにし、ズーム位置がリミット位置に到達するようであれば、変倍レンズ６４をリミット位置で停止させる。これにより、変倍レンズ６４の移動範囲は、上記メモリ７８に記憶されたワイド側とテレ側のリミット位置の範囲内に制限される。
【００３２】
尚、ＣＰＵ５４は、ズームリミット機能がオンの状態のときにズームリミットオン・オフスイッチ３４が押された場合には、ズームリミット機能をオフにし、上述のような変倍レンズの移動範囲の制限は行わないようにしている。また、切替スイッチ３６が「ＰＲＩＳＥＴ」側に切り替えられた場合にも同様である。
以上、上記実施の形態では、駆動ユニット１２にプリセット機能とリミット機能を搭載し、これらの機能に関する操作を共通のワンショットズームスイッチＡ、Ｂで切替スイッチ３６により切り替えて行えるようにしたが、駆動ユニット１２にプリセット機能を搭載しない場合には、リミット機能専用の操作スイッチのみ設ければ良く（切替スイッチ３６は不要）、また、プリセット機能とリミット機能を搭載した場合であっても、それぞれの操作スイッチを別々に設けてもよい。
【００３３】
また、上記実施の形態では、プリセット機能及びリミット機能共に、変倍レンズの操作に関するものであったが、これに限らず、本発明は、フォーカスレンズ等の他の種類の移動レンズのプリセット機能及びリミット機能に関しても同様に適用できる。
【００３４】
【発明の効果】
以上説明したように、本発明に係るレンズ駆動装置によれば、ＥＮＧレンズ等のレンズ鏡胴側部に設置されるレンズ駆動装置にリミット機能を搭載したため、外部コントローラを使用しなくてもリミット機能を使用することができる。
また、リミット機能と共に、プリセット機能を搭載し、これらの機能を操作する操作スイッチを共通に使用できるようにすることで、省スペース化を図ることができる。
【図面の簡単な説明】
【図１】図１は、本発明が適用された駆動ユニットが装着されたＥＮＧレンズの外観を示した平面図である。
【図２】図２は、本発明が適用された駆動ユニットが装着されたＥＮＧレンズの外観を示した後面図である。
【図３】図３は、駆動ユニットにおいてズームリングをモータ駆動する回路の構成を示したブロックである。
【図４】図４は、ワンショットズームスイッチが押されたときのＣＰＵの処理手順を示したフローチャートである。
【符号の説明】
１…ＥＮＧレンズ、２…レンズ鏡胴、６…ズームリング、１２…駆動ユニット、２２…ズームシーソコントロールスイッチ（シーソスイッチ）、３４…ズームリミットオン・オフスイッチ、３６…ズームプリセット／ズームリミット切替スイッチ、３８…ズーム最大スピード調節ツマミ、５４…ＣＰＵ、６４…変倍レンズ、Ａ、Ｂ…ワンショットズームスイッチ
【図１】
0004258060.tif 000002
【図２】
0004258060.tif 000003
【図３】
0004258060.tif 000004
【図４】
0004258060.tif 000005